(57)【要約】【課題】デザイン性を向上でき、ドッキングが容易に行うことができると共に、ドッキングコネクタのピン曲がりを防止できる携帯型コンピュータ用ドッキング装置等を提供する。【解決手段】  携帯型コンピュータ用ドッキング装置２００において、ドッキング装置本体２０１と、底板２０２と、ドッキングコネクタ２０３と、グランドピン２０４ａ，２０４ｂと、突起部２０５ａ，２０５ｂと、可動トレイとしてのポップアップ式トレイ２０６と、凹部２０７ａ，２０７ｂと、スライド式ロックスイッチ２０８と、フック２０９ａ，２０９ｂと、ツメ部材２１０とを備える。ドッキングする際に、携帯型コンピュータの足と凹部２０７ａ，２０７ｂを用いて位置決めを行い、また、携帯型コンピュータの手前側を下げることでドッキングコネクタとドッキングコネクタ２０３とが勘合され、そして、スライド式ロックスイッチ２０８でロックする。【選択図】        図３
2005321998.tif 000002
【特許請求の範囲】
【請求項１】
携帯型コンピュータと機械的および電気的に接続されて上記携帯型コンピュータの機能を拡張する携帯型コンピュータ用ドッキング装置において、
上記携帯型コンピュータの後端部を載せるための載置部と、
手動操作により上記携帯型コンピュータを上記載置部に固定するロック手段とを備え、
上記載置部は、
上記携帯型コンピュータの背面の切り込み部とかみ合うツメ部材と、上記携帯型コンピュータと電気的に接続するドッキングコネクタが配置された底板と、該底板の上に配置され、所定角度に回転可能な可動トレイとを有し、
上記可動トレイは、上記携帯型コンピュータの後端部にある足と同じ形状の２つの凹部と、ドッキングする際に上記ドッキングコネクタおよび上記ロック手段を露出させる開口部とが設けられる
ことを特徴とする携帯型コンピュータ用ドッキング装置。
【請求項２】
上記ロック手段は、
スライド式ロックスイッチと、
上記ロックスイッチに連動し、上記携帯型コンピュータの底面にあるロック穴に差し込む２つのフックと
を備えることを特徴とする請求項１に記載の携帯型コンピュータ用ドッキング装置。
【請求項３】
上記可動トレイは、スプリング機構を有し、
上記スプリング機構により、非ドッキング状態では、上記可動トレイが上記底板から持ち上げられ、上記ドッキングコネクタと上記フックを表面上に露出させない位置になり、
ドッキング状態では上記可動トレイが上記携帯型コンピュータにより押さえられ、上記底板表面に接触する位置になる
ことを特徴とする請求項２に記載の携帯型コンピュータ用ドッキング装置。
【請求項４】
上記凹部は、円錐状である
ことを特徴とする請求項１に記載の携帯型コンピュータ用ドッキング装置。
【請求項５】
携帯型コンピュータと、該携帯型コンピュータの機能を拡張する携帯型コンピュータ用ドッキング装置とを機械的および電気的に接続させてドッキングするドッキング構造であって、
携帯型コンピュータは、円錐状足と、背面に設けられた切り込み部と、底面に設けられたロック穴とを備え、
上記携帯型コンピュータ用ドッキング装置は、上記携帯型コンピュータの後端部を載せるための載置部と、上記携帯型コンピュータを上記載置部に固定するロック手段とを備え、
上記載置部は、上記携帯型コンピュータの背面の切り込み部とかみ合うツメ部材と、上記携帯型コンピュータと電気的に接続するドッキングコネクタが配置された底板と、該底板の上に配置され、所定角度に回転可能な可動トレイとを有し、
上記可動トレイは、上記携帯型コンピュータのドッキングする側の足と同じ形状の２つの凹部と、ドッキングする際に上記ドッキングコネクタおよび上記ロック手段を露出させる開口部とが設けられる
ことを特徴とするドッキング構造。
【発明の詳細な説明】
【技術分野】
【０００１】
この発明は、携帯型コンピュータと機械的および電気的に接続されて携帯型コンピュータの機能を拡張する携帯型コンピュータ用ドッキング装置およびドッキング構造に関する。詳しくは、携帯型コンピュータ用ドッキング装置において、携帯型コンピュータの後端部を載せるための載置部と、手動操作により携帯型コンピュータを載置部に固定するロック手段とを備え、載置部は、携帯型コンピュータの背面の切り込み部とかみ合うツメ部材と、携帯型コンピュータと電気的に接続するドッキングコネクタが配置された底板と、該底板の上に配置され、所定角度に回転可能な可動トレイとを有し、該可動トレイは、携帯型コンピュータの後端部の足と同じ形状の２つの凹部と、ドッキングする際にコネクタおよびロック手段を露出させる開口部とが設けられる構成とすることによって、デザイン性を向上でき、ドッキングが容易に行うことができると共に、ドッキングコネクタのピン曲がりを防止することができるようにした携帯型コンピュータ用ドッキング装置等に係るものである。
【背景技術】
【０００２】
携帯型コンピュータの機能を充実させるために、ドッキング装置などが用いられている。ドッキング装置は、携帯型コンピュータと機械的および電気的に接続されて携帯型コンピュータの機能を拡張する装置である。携帯型コンピュータに対して、周辺機器との迅速、容易、および融通性のある装着が重要となる。
【０００３】
従来、携帯型コンピュータをドッキング装置の凹形状の中に落とし込むドッキング構造が提案されている（例えば、特許文献１参照）。
【０００４】
この場合、携帯型コンピュータとドッキング装置の位置決めのために、ドッキング装置に凹形状部が設けられる。ドッキングの際に、携帯型コンピュータをドッキング装置の凹形状の中に落とし込むことで、位置合わせが容易である。
【０００５】
また、ガイドピンやリブに沿って携帯型コンピュータをドッキング装置に装着するドッキング構造が提案されている（例えば、特許文献２参照）。
【０００６】
図１１は、従来の複数のガイドを有するドッキング装置の構成例を示す図である。図１１に示すように、ドッキング装置１０の携帯型コンピュータ１２の底面の後端部（ドッキング側）を載せるための支持面２２Ａに突起の複数のガイド２５が設けられている。ドッキングの際に、これらのガイド２５により左右の位置決めを行い、そして、携帯型コンピュータ１２と電気的に接続するためのインターフェース・コネクタ２４の位置を合わせて、下方に押し込んでドッキングを行うようになされている。
【０００７】
なお、自動ロック機構を有するドッキング構造が提案されている。図１２は、従来の自動ロック機構を有するドッキング装置を示す図である。
【０００８】
図１２に示すように、ドッキング装置３０は、ドッキングコネクタ３１と、携帯型コンピュータの背面を固定するためのフック３２ａ，３２ｂと、携帯型コンピュータの手前側を固定するためのフック３３ａ，３３ｂと、携帯型コンピュータ取り外し用レバー３４と、押し上げピン３５ａ，３５ｂと、グランドピン３６ａ，３６ｂとを備える。フック３３ａ，３３ｂは、スプリング機構を有する。
【０００９】
この場合、ドッキング状態でバッテリ交換を行う際に、バッテリ交換中にドッキングコネクタが外れた場合、シャット段によるデータ損失を防止するために、自動型ロック機構を用いられた。この自動型ロック機構において、ドッキングする際に、スプリング機構を有するフックが自動的に携帯型コンピュータの底面に設けられたロック穴に差し込むことで、携帯型コンピュータをドッキング装置の載置部に固定するようになされる。
【００１０】
【特許文献１】特許第３１９７８４３号公報（第３，４頁、第１，２図）
【特許文献２】特開２００１−３０６１８６号公報（第４，５頁、第５図）
【発明の開示】
【発明が解決しようとする課題】
【００１１】
しかしながら、上述した特許文献１の場合、位置合わせが容易であるが、ドッキング装置の本体が大きくなる問題があった。
【００１２】
また、上述した特許文献２の場合、ドッキング装置１０の携帯型コンピュータの底面の後端部（ドッキング側）を載せるための支持面２２Ａに突起の複数のガイド２５が設けられているため、突起部が多く、デザイン性が低下する問題があると共に、位置合わせが困難である。
【００１３】
また、上述した自動ロック機構を有するドッキング構造の場合、位置合わせが困難であり、また、ドッキングする際に、スプリング付きフックをロック穴に掛けるため、携帯型コンピュータ本体を上から強く押さえつける動作が必要である。そのため、コネクタに大きな力が加われ、接続ピンが変形するという問題があった。
【００１４】
そこで、この発明は、デザイン性を向上でき、ドッキングが容易に行うことができると共に、ドッキングコネクタのピン曲がりを防止することができるようにした携帯型コンピュータ用ドッキング装置およびドッキング構造を提供することを目的とする。
【課題を解決するための手段】
【００１５】
この発明に係る携帯型コンピュータ用ドッキング装置は、携帯型コンピュータと機械的および電気的に接続されて上記携帯型コンピュータの機能を拡張する携帯型コンピュータ用ドッキング装置において、携帯型コンピュータの後端部を載せるための載置部と、手動操作により携帯型コンピュータを載置部に固定するロック手段とを備え、載置部は、携帯型コンピュータの背面の切り込み部とかみ合うツメ部材と、携帯型コンピュータと電気的に接続するドッキングコネクタが配置された底板と、該底板の上に配置され、所定角度に回転可能な可動トレイとを有し、該可動トレイは、携帯型コンピュータの後端部にある足と同じ形状の２つの凹部と、ドッキングする際にドッキングコネクタおよびロック手段を露出させる開口部とが設けられるものである。
【００１６】
例えば、ロック手段は、スライド式ロックスイッチと、ロックスイッチに連動し、携帯型コンピュータの底面のロック穴に差し込む２つのフックとを備える。
【００１７】
また例えば、可動トレイは、スプリング機構を有し、該スプリング機構により、非ドッキング状態では、可動トレイが底板から持ち上げられ、ドッキングコネクタとフックを表面上に露出させない位置になり、ドッキング状態では可動トレイが携帯型コンピュータにより押さえられ、底板表面に接触する位置になるようになされる。
【００１８】
また、この発明に係るドッキング構造は、携帯型コンピュータと、該携帯型コンピュータの機能を拡張する携帯型コンピュータ用ドッキング装置とを機械的および電気的に接続させてドッキングするドッキング構造であって、携帯型コンピュータは、円錐状足と、背面に設けられた切り込み部と、底面に設けられたロック穴とを備え、携帯型コンピュータ用ドッキング装置は、携帯型コンピュータの後端部を載せるための載置部と、携帯型コンピュータを載置部に固定するロック手段とを備え、載置部は、携帯型コンピュータの背面の切り込み部とかみ合うツメ部材と、携帯型コンピュータと電気的に接続するドッキングコネクタが配置された底板と、該底板の上に配置され、所定角度に回転可能な可動トレイとを有し、該可動トレイは、携帯型コンピュータのドッキングする側の足と同じ形状の２つの凹部と、ドッキングする際にドッキングコネクタおよびロック手段を露出させる開口部とが設けられるものである。
【００１９】
この発明においては、携帯型コンピュータは、円錐状足と、背面に設けられた切り込み部と、底面に設けられたロック穴とを備える。また、携帯型コンピュータ用ドッキング装置は、携帯型コンピュータの後端部を載せるための載置部と、手動操作により携帯型コンピュータを載置部に固定するロック手段とを備え、載置部は、携帯型コンピュータの背面の切り込み部とかみ合うツメ部材と、携帯型コンピュータと電気的に接続するドッキングコネクタが配置された底板と、該底板の上に配置され、所定角度に回転可能な可動トレイとを有し、該可動トレイは、携帯型コンピュータの後端部にある足と同じ形状の２つの凹部と、ドッキングする際にドッキングコネクタおよびロック手段を露出させる開口部とが設けられる。
【００２０】
これにより、ドッキングする際の位置決め動作とコネクティング動作を構造的に分離させ、さらに、携帯型コンピュータの足と同じ円錐状の位置決め用凹部を設けることで、ドッキングする際に、携帯型コンピュータを置いた際のずれが自動的に修正され、ドッキング時携帯型コンピュータとドッキング装置との位置決めが容易になり、また、非ドッキング状態ではドッキングコネクタ等が可動トレイの表面上に露出しないため、デザイン性を向上することが可能となる。
【００２１】
また、手動操作のロック手段を用いるたことで、ドッキングする際に、スプリング付きフックをロック穴に掛けるため、携帯型コンピュータ本体を上から強く押さえつける動作が不要のため、ドッキングコネクタのビン曲がりを防止することが可能となる。また、ロック手段のスライド式ロックスイッチをアンロック側にスライドさせ、携帯型コンピュータを持ち上げるだけで、容易にアンドッキングすることが可能になる。
【発明の効果】
【００２２】
この発明によれば、携帯型コンピュータは、円錐状足と、背面に設けられた切り込み部と、底面に設けられたロック穴とを備え、また、携帯型コンピュータ用ドッキング装置は、携帯型コンピュータの後端部を載せるための載置部と、手動操作により携帯型コンピュータを載置部に固定するロック手段とを備え、載置部は、携帯型コンピュータの背面の切り込み部とかみ合うツメ部材と、携帯型コンピュータと電気的に接続するドッキングコネクタが配置された底板と、該底板の上に配置され、所定角度に回転可能な可動トレイとを有し、該可動トレイは、携帯型コンピュータの後端部にある足と同じ形状の２つの凹部と、ドッキングする際にドッキングコネクタおよびロック手段を露出させる開口部とが設けられるものであり、デザイン性を向上でき、ドッキングが容易に行うことができると共に、ドッキングコネクタのピン曲がりを防止することができる。
【発明を実施するための最良の形態】
【００２３】
以下、図面を参照しながら、この発明の実施の形態の携帯型コンピュータ用ドッキング装置およびドッキング構造について説明する。
【００２４】
図１は、本発明の実施の形態の携帯型コンピュータ１００と携帯型コンピュータ用ドッキング装置２００とのドッキング状態を示す図である。
【００２５】
図１に示すように、携帯型コンピュータ１００と携帯型コンピュータ用ドッキング装置２００とがドッキングされている状態では、携帯型コンピュータの底面の後端部が携帯型コンピュータ用ドッキング装置２００の載置部に載せられている状態である。
【００２６】
図２は、本発明の実施の形態の携帯型コンピュータ１００の構成例を示す図である。図２（ａ）に示すように、携帯型コンピュータ１００の底面１０１に、足１０２ａ，１０２ｂと、ロック穴１０３ａ，１０３ｂと、グランド接点１０４ａ，１０４ｂと、ドッキングコネクタ１０５とを設けられている。また、携帯型コンピュータ１００の背面（ドッキングする側の端面）に切り込み部１０６が設けられている。なお、図２（ｂ）は、携帯型コンピュータ１００の足部の側面図である。足１０２ａ，１０２ｂは、円錐状である。
【００２７】
図３は、本発明の実施の形態の携帯型コンピュータ用ドッキング装置２００の構成を示す図である。図３に示すように、携帯型コンピュータ用ドッキング装置２００は、ドッキング装置本体２０１と、底板２０２と、ドッキングコネクタ２０３と、グランドピン２０４ａ，２０４ｂと、突起部２０５ａ，２０５ｂと、可動トレイとしてのポップアップ式トレイ２０６と、凹部２０７ａ，２０７ｂと、スライド式ロックスイッチ２０８と、フック２０９ａ，２０９ｂと、ツメ部材２１０とから構成される。
【００２８】
ドッキング装置本体２０１は、携帯型コンピュータ１００の機能を拡張するためのデバイスを格納されている。このドッキング装置本体２０１は、底板２０２と一体に形成され、底板２０２の上にポップアップ式トレイ２０６が設けられている。また、底板２０２には、ドッキングコネクタ２０３と、グランドピン２０４ａ，２０４ｂと、突起部２０５ａ，２０５ｂとが設けられている。
【００２９】
ドッキングコネクタ２０３は、携帯型コンピュータ１００と電気的に接続するためのガイドピン付きコネクタである。携帯型コンピュータ１００の底面１０１に設けられたドッキングコネクタ１０５と勘合し電気的に接続することができる。また、グランドピン２０４ａ，２０４ｂは、携帯型コンピュータ１００の底面１０１に設けられたグランド接点１０４ａ，１０４ｂと電気的に接触することで、携帯型コンピュータ１００と携帯型コンピュータ用ドッキング装置２００とのグランドを同じレベルにする。また、突起部２０５ａ，２０５ｂは、携帯型コンピュータ１００と携帯型コンピュータ用ドッキング装置２００をアンドッキングさせる際、携帯型コンピュータ１００を支えるものであり、突起部２０５ａ，２０５ｂの表面には摩擦に強いシートが設けられている。この突起部２０５ａ，２０５ｂを設けることで、携帯型コンピュータ１００によりポップアップ式トレイ２０６の表面にキズつけることを防止できる。
【００３０】
ポップアップ式トレイ２０６は、携帯型コンピュータ１００の後端部に設けられる２つの円錐状足を落とし込む可能な凹部２０７ａ，２０７ｂが設けられている。また、ポップアップ式トレイ２０６は、携帯型コンピュータ１００がドッキングされたとき、ドッキングコネクタ２０３、グランドピン２０４ａ，２０４ｂ、突起部２０５ａ，２０５ｂ、およびフック２０９ａ，２０９ｂを表面上に露出させる複数の開口部が設けられている。
【００３１】
図３に示す状態は、ポップアップ式トレイ２０６が携帯型コンピュータ１００により押さえられ、ドッキング後の位置にある状態である。この場合、ドッキングコネクタ２０３、グランドピン２０４ａ，２０４ｂ、突起部２０５ａ，２０５ｂ、およびフック２０９ａ，２０９ｂがポップアップ式トレイ２０６の表面上に露出されている。
【００３２】
凹部２０７ａ，２０７ｂは、携帯型コンピュータ１００の後端部に設けられる２つの足１０２ａ，１０２ｂを落とし込む可能な円錐状凹部である。なお、この凹部２０７ａ，２０７ｂの形状は円錐状に限定されるものではない。携帯型コンピュータ１００の後端部に設けられる２つの足の形状に合わせたものであればよい。
【００３３】
スライド式ロックスイッチ２０８とフック２０９ａ，２０９ｂは、ロック手段として機能し、携帯型コンピュータ１００を載置部（即ちポップアップ式トレイ２０６）に固定するものである。フック２０９ａ，２０９ｂは、スライド式ロックスイッチ２０８に連動するものである。スライド式ロックスイッチ２０８は、例えばフック２０９ａ，２０９ｂを操作する操作ノブを有し、この操作ノブをロック側にスライドするとき、フック２０９ａ，２０９ｂが携帯型コンピュータ１００の底面に設けられているロック穴１０３ａ，１０３ｂに差し込むことで、携帯型コンピュータ１００が載置部に固定される。なお、操作ノブをアンロック側にスライドするとき、フック２０９ａ，２０９ｂが携帯型コンピュータ１００の底面に設けられているロック穴１０３ａ，１０３ｂから抜け出し、携帯型コンピュータ１００を上に持ち上がることで、携帯型コンピュータ用ドッキング装置２００から容易に外すこと（アンドッキング）ができる。
【００３４】
また、ツメ部材２１０は、携帯型コンピュータ１００の背面（ドッキングする側の端面）の切り込み部１０６とかみ合うものであり、ドッキングする際、携帯型コンピュータ１００の端部を押さえる機能を有する。このツメ部材２１０は、スプリング機構を有し、内部へ押し込みできる。
【００３５】
図４は、携帯型コンピュータ用ドッキング装置２００の構成を示す側面図である。この図４は、携帯型コンピュータ用ドッキング装置２００の非ドッキング状態を示している。図４に示すように、ポップアップ式トレイ２０６は、トレイ支持用ブラケット２１１により支持されている。また、スプリング２１２により、非ドッキング状態ではポップアップ式トレイ２０６が持ち上げられ、最大角度の位置になる。
【００３６】
図５は、ポップアップ式トレイ２０６の関連部品を示す図である。図５（ａ）は、トレイ２０６Ａを示している。このトレイ２０６Ａは、回転軸に取り付けるためのアームを有している。図５（ｂ）は、トレイ支持用ブラケット２１１の構成例を示している。図５（ｃ）は、スプリング２１２の構成例を示している。
【００３７】
また、上述した図４に示すように、非ドッキング状態では、ポップアップ式トレイ２０６が底板２０２から持ち上げられ、ドッキングコネクタ２０３等を表面上に露出させない位置にある。これにより、底板２０２に設けられるドッキングコネクタ２０３と、グランドピン２０４ａ，２０４ｂと、突起部２０５ａ，２０５ｂと、フック２０９ａ，２０９ｂとがポップアップ式トレイ２０６の表面上に露出されないため、デザイン性を向上することができる。
【００３８】
以下、図６〜図９を参照しながら、携帯型コンピュータ１００を携帯型コンピュータ用ドッキング装置２００にドッキングする際の操作を説明する。図６は、携帯型コンピュータ１００を装着前の状態の斜視図である。図７は、携帯型コンピュータ１００を装着前の状態の側面図である。図８は、携帯型コンピュータ１００を載置部に載せた状態の斜視図である。図９は、携帯型コンピュータ１００を載置部に載せた状態の側面図である。
【００３９】
携帯型コンピュータ１００を携帯型コンピュータ用ドッキング装置２００にドッキングする際に、まず、ロックスイッチ２０８の操作ノブがアンロック側にスライドする。
【００４０】
次に、図６，図７に示すように、携帯型コンピュータ１００を携帯型コンピュータ用ドッキング装置２００に載せる。この場合、携帯型コンピュータ１００の足１０２ａ，１０２ｂをポップアップ式トレイ２０６の凹部２０７ａ，２０７ｂに入れることで、位置決めを行う。その際、ツメ部材２１０は自動的に携帯型コンピュータ１００の背面の切り込み部１０６に掛かる。そして、図８，図９に示すように、携帯型コンピュータ１００の手前側を静かに下げる。これにより、ドッキングコネクタ１０５とドッキングコネクタ２０３とが勘合される。
【００４１】
最後に、ロックスイッチ２０８の操作ノブをロック側にスライドすることで、ドッキングが終了する。
【００４２】
携帯型コンピュータ１００が装着された場合、上述した図９（ｂ）に示すように、携帯型コンピュータ１００の底面１０１の後端部は載置部に載せた状態で、また、ポップアップ式トレイ２０６は、携帯型コンピュータ１００により底板２０２まで押さえられた位置にある状態である。この場合、フック２０９ａ，２０９ｂは携帯型コンピュータ１００の底面に設けられているロック穴１０３ａ，１０３ｂに差し込まれ、また、ドッキングコネクタ２０３は、携帯型コンピュータ１００の底面に設けられるドッキングコネクタ１０５と勘合される。
【００４３】
また、携帯型コンピュータ１００を携帯型コンピュータ用ドッキング装置２００から取り外す際には、まず、ロックスイッチ２０８の操作ノブをアンロック側にスライドする。
【００４４】
次に、図１０に示すように、携帯型コンピュータ１００を手前側から持ち上げる。これにより、ドッキングコネクタ２０３は、携帯型コンピュータ１００側から外され、携帯型コンピュータ１００と携帯型コンピュータ用ドッキング装置２００とが分離される。
【００４５】
このように本実施の形態においては、携帯型コンピュータ１００は、足１０２ａ，１０２ｂと、切り込み部１０６と、底面１０１に設けられたロック穴１０３ａ，１０３ｂとを備える。また、携帯型コンピュータ用ドッキング装置２００は、ドッキング装置本体２０１と、底板２０２と、ドッキングコネクタ２０３と、グランドピン２０４ａ，２０４ｂと、突起部２０５ａ，２０５ｂと、可動トレイとしてのポップアップ式トレイ２０６と、凹部２０７ａ，２０７ｂと、スライド式ロックスイッチ２０８と、フック２０９ａ，２０９ｂと、ツメ部材２１０とを備える。ドッキングする際に、携帯型コンピュータ１００の足１０２ａ，１０２ｂと凹部２０７ａ，２０７ｂを用いて位置決めを行い、そして、携帯型コンピュータ１００の手前側を下げることでドッキングコネクタ１０５とドッキングコネクタ２０３とが勘合され、最後に、スライド式ロックスイッチ２０８でロックする。
【００４６】
これにより、ドッキングする際の位置決め動作とコネクティング動作を構造的に分離させ、さらに、携帯型コンピュータ１００の足と同じ円錐状の位置決め用凹部２０７ａ，２０７ｂを設けることで、ドッキングする際に、携帯型コンピュータ１００を置いた際のずれが自動的に修正され、ドッキング時携帯型コンピュータ１００と携帯型コンピュータ用ドッキング装置２００との位置決めが容易になり、また、非ドッキング状態ではドッキングコネクタ２０３等がポップアップ式トレイ２０６の表面上に露出しないため、デザイン性を向上することができる。
【００４７】
また、手動操作のスライド式ロックスイッチ２０８を用いるたことで、ドッキングする際に、スプリング付きフックをロック穴に掛けるために携帯型コンピュータ本体を上から強く押さえつける動作が不要のため、ドッキングコネクタ２０３のビン曲がりを防止することができる。また、スライド式ロックスイッチ２０８をアンロック側にスライドさせ、携帯型コンピュータ１００を持ち上げるだけで、容易にアンドッキングすることができる。
【００４８】
なお、上述実施の形態においては、ロック手段としてスライド式ロックスイッチ２０８と、携帯型コンピュータ２００の底面の凹部に差し込む２つのフック２０９ａ，２０９ｂとを備えるものを用いたが、これに限定されるものではない。他の手動ロック機構を用いてもよい。
【産業上の利用可能性】
【００４９】
以上のように、この発明に係る携帯型コンピュータ用ドッキング装置およびドッキング構造は、携帯型コンピュータと機械的および電気的に接続されて携帯型コンピュータの機能を拡張するためのドッキング装置等において、デザイン性を向上でき、ドッキングが容易に行うことができると共に、ドッキングコネクタのピン曲がりを防止する目的に適用できる。
【図面の簡単な説明】
【００５０】
【図１】携帯型コンピュータ１００と携帯型コンピュータ用ドッキング装置２００のドッキング状態を示す図である。
【図２】携帯型コンピュータ１００の構成例を示す図である。
【図３】実施の形態の携帯型コンピュータ用ドッキング装置２００の構成例を示す図である。
【図４】携帯型コンピュータ用ドッキング装置２００の構成例を示す側面図である。
【図５】ポップアップ式トレイ２０６の関連部品を示す図である。
【図６】携帯型コンピュータ１００を装着前の状態を示す斜視図である。
【図７】携帯型コンピュータ１００を装着前の状態を示す側面図である。
【図８】携帯型コンピュータ１００を載置面に載せた状態を示す斜視図である。
【図９】携帯型コンピュータ１００を載置面に載せた状態を示す側面図である。
【図１０】携帯型コンピュータ１００を取り外す操作を示す図である。
【図１１】従来の複数のガイドを有するドッキング装置の構成を示す図である。
【図１２】従来の自動ロック機構を有するドッキング装置の構成を示す図である。
【符号の説明】
【００５１】
１００・・・携帯型コンピュータ、１０１・・・底面、１０２ａ，１０２ｂ・・・足、１０３ａ，１０３ｂ・・・ロック穴、１０４ａ，１０４ｂ・・・グランド接点、１０５・・・ドッキングコネクタ、１０６・・・切り込み部、２００・・・携帯型コンピュータ用ドッキング装置、２０１・・・ドッキング装置本体、２０２・・・底板、２０３・・・ドッキングコネクタ、２０４ａ，２０４ｂ・・・グランドピン、２０５ａ，２０５ｂ・・・突起部、２０６・・・ポップアップ式トレイ、２０７ａ，２０７ｂ・・・凹部、２０８・・・スライド式ロックスイッチ、２０９ａ，２０９ｂ・・・フック、２１０・・・ツメ部材、２１１・・・トレイ支持用ブラケット、２１２・・・スプリング
【図１】
2005321998.tif 000003
【図２】
2005321998.tif 000004
【図３】
2005321998.tif 000005
【図４】
2005321998.tif 000006
【図５】
2005321998.tif 000007
【図６】
2005321998.tif 000008
【図７】
2005321998.tif 000009
【図８】
2005321998.tif 000010
【図９】
2005321998.tif 000011
【図１０】
2005321998.tif 000012
【図１１】
2005321998.tif 000013
【図１２】
2005321998.tif 000014